(57)【要約】【課題】遊技機の外枠に対し表枠を開閉可能に取り付け、表枠に対しガラス枠を開閉可能に取り付けることができ、構造が簡単で、少ない部品点数で構成可能な遊技機用上部ヒンジを提供する。【解決手段】上部ヒンジ１は、その外殻を形成するヒンジ本体２を有し、ヒンジ本体２は、上部に外枠ピンを軸受けする第１軸受部２１及び下部にガラス枠ピンを軸受けする第２軸受部２２を設けている。ヒンジ本体２内には、合成樹脂製の第１回動支持部材３が回動可能に軸支され、第１軸受部２１に嵌入された外枠ピンを回動可能に保持する。ヒンジ本体２内には、合成樹脂製の第２回動支持部材４が回動可能に軸支され、第２軸受部２２に嵌入されたガラス枠ピンを回動可能に保持する。第１回動支持部材３と第２回動支持部材４は共通軸の支軸５により軸支される。第２回動支持部材４にはばね弾性部４ａが一体に設けられる。【選択図】図１
2015109926.tif 000002
【特許請求の範囲】
【請求項１】
遊技機の外枠に対し開閉可能に装着される表枠の上角部に取り付けられ、該外枠に対し表枠を開閉可能に支持し、該表枠に対しガラス枠を開閉可能に支持する遊技機用上部ヒンジにおいて、
上部ヒンジの外殻を形成し、上部に該外枠側の外枠ピンを軸受けする第１軸受部を設け、下部に該ガラス枠側のガラス枠ピンを軸受けする第２軸受部を設けたヒンジ本体と、
該ヒンジ本体内に回動可能に軸支され、該第１軸受部に嵌入された該外枠ピンを回動可能に保持する合成樹脂製の第１回動支持部材と、
該ヒンジ本体内に回動可能に軸支され、該第２軸受部に嵌入された該ガラス枠ピンを回動可能に保持する合成樹脂製の第２回動支持部材と、
該第１回動支持部材及び該第２回動支持部材を共通軸として支持する支軸と、
を備え、
該第２回動支持部材にはばね弾性部が一体に設けられ、
該ばね弾性部は、該第１回動支持部材に当接して該第１回動支持部材が該外枠ピンを保持する側に該第１回動支持部材を付勢するとともに、該第２回動支持部材が該ガラス枠ピンを保持する側に該第２回動支持部材を付勢することを特徴とする遊技機用上部ヒンジ。
【請求項２】
前記第２回動支持部材には操作レバーが一体に設けられたことを特徴とする請求項１記載の遊技機用上部ヒンジ。
【請求項３】
前記第１回動支持部材の端部には操作部が一体に設けられたことを特徴とする請求項１記載の遊技機用上部ヒンジ。
【請求項４】
前記第１回動支持部材には、前記第２回動支持部材のばね弾性部が係合する係合凹部が設けられ、該係合凹部とは前記支軸に対し反対側の該第１回動支持部材の縁部に、該第２回動支持部材と係合する係合凸部が設けられたことを特徴とする請求項１記載の遊技機用上部ヒンジ。
【請求項５】
前記ヒンジ本体は鋼板をプレス加工して形成され、前記表枠の上角部に取り付けるための直角取付面を有する直角取付部が該ヒンジ本体に設けられ、該ヒンジ本体の正面側の先端部に、内部をカバーするカバー部が設けられたことを特徴とする請求項１記載の遊技機用上部ヒンジ。
【発明の詳細な説明】
【技術分野】
【０００１】
本発明は、パチンコ機等の遊技機の外枠に対し表枠を開閉可能に取り付け、表枠に対しガラス枠を開閉可能に取り付ける遊技機用上部ヒンジに関する。
【背景技術】
【０００２】
パチンコ機等の遊技機には、外枠に対し、遊技盤などの機器を取り付けた表枠が第１ヒンジを介して開閉可能に取り付けられ、表枠に対し遊技盤を覆うガラス枠が第２ヒンジを介して開閉可能に取り付けられる。
【０００３】
従来、第１ヒンジ、第２ヒンジともに各種の構造のヒンジが製造され、遊技機に使用されているが、例えば、下記特許文献１には、外枠と表枠間及び表枠とガラス枠間に生じやすい隙間を小さくした構造のヒンジ装置が提案されている。
【０００４】
しかしながら、この従来のヒンジ装置は、第１ヒンジと第２ヒンジが別個に構成されて取り付けられ、各ヒンジに、複数のヒンジピンが取り付けられるため、ヒンジピンの本数が多く、また、ヒンジピンを保持する保持部材が上下摺動可能に取り付けられ、且つそれを上方に付勢するコイルばねが装着されるなど、構造が複雑化し、部品点数が増大している。また、ヒンジ装置の大きさを、比較的大型化する必要があるため、ヒンジ装置用のスペースが遊技機内の左縁部縦方向に相当量必要となるなどの課題があった。
【先行技術文献】
【特許文献】
【０００５】
【特許文献１】特開２００８−１６７９７０号公報
【特許文献２】特開２０１０−１６２３２５号公報
【発明の概要】
【発明が解決しようとする課題】
【０００６】
そこで、従来、外枠に対し表枠を開閉可能に取り付ける第１ヒンジと表枠に対しガラス枠を開閉可能に取り付ける第２ヒンジの上部ヒンジとを一体に構成した上部ヒンジ装置が、上記特許文献２により提案されている。この上部ヒンジ装置は、表枠の上角部に取り付けられ、複雑な構造のピン受け用ハウジング内に、外枠側ヒンジピンを軸受支持する第１軸受部を摺動可能に配設するとともに、ガラス枠側ヒンジピンを軸受支持する第２軸受部を摺動可能に配設する。さらに、この上部ヒンジ装置の第１軸受部、第２軸受部には、各々ガイドピンが嵌挿され、且つ第１軸受部、第２軸受部をヒンジピンの軸受側に付勢するコイルばねが各々に装着され、ガイドピンを保持するためのカラーがピン受け用ハウジングに取り付けられる。
【０００７】
このため、この従来のヒンジ装置は、ピン受け用ハウジングの構造が複雑化するとともに、第１軸受部、第２軸受部、２個のガイドピン、２本のコイルばね、及びカラーなど多くの部品を必要とし、組付工程も多く、製造コストが増大する課題があった。
【０００８】
本発明は、上記の点に鑑みてなされたもので、遊技機の外枠に対し表枠を開閉可能に取り付け、表枠に対しガラス枠を開閉可能に取り付けることができ、構造が簡単で、少ない部品点数で構成可能な遊技機用上部ヒンジを提供することを目的とする。
【課題を解決するための手段】
【０００９】
上記目的を達成するために、本発明の遊技機用上部ヒンジは、遊技機の外枠に対し開閉可能に装着される表枠の上角部に取り付けられ、該外枠に対し表枠を開閉可能に支持し、該表枠に対しガラス枠を開閉可能に支持する遊技機用上部ヒンジにおいて、
上部ヒンジの外殻を形成し、上部に該外枠側の外枠ピンを軸受けする第１軸受部を設け、下部に該ガラス枠側のガラス枠ピンを軸受けする第２軸受部を設けたヒンジ本体と、
該ヒンジ本体内に回動可能に軸支され、該第１軸受部に嵌入された該外枠ピンを回動可能に保持する合成樹脂製の第１回動支持部材と、
該ヒンジ本体内に回動可能に軸支され、該第２軸受部に嵌入された該ガラス枠ピンを回動可能に保持する合成樹脂製の第２回動支持部材と、
該第１回動支持部材と該第２回動支持部材を共通軸として支持する支軸と、
を備え、
該第２回動支持部材にはばね弾性部が一体に設けられ、
該ばね弾性部は、該第１回動支持部材に当接して該第１回動支持部材が該外枠ピンを保持する側に該第１回動支持部材を付勢するとともに、該第２回動支持部材が該ガラス枠ピンを保持する側に該第２回動支持部材を付勢することを特徴とする。
【００１０】
この発明によれば、基本的には、ヒンジ本体、第１回動支持部材、第２回動支持部材、及び支軸のみから上部ヒンジを構成することができるので、構造が非常に簡単となり、少ない部品点数で安価に遊技機用上部ヒンジを製造することができる。また、従来の回動支持部材のように別部材としてコイルばねなどのばね部材を取り付ける必要がなく、製造時にばね部材を組み付ける工数を削減し、運搬時などにばね部材が外れたりする不具合を解消するができる。
【００１１】
ここで、上記第２回動支持部材には操作レバーを一体に設けることが好ましい。これによれば、操作レバーをもって第２回動支持部材を回動操作すれば、容易にガラス枠を傾動させてガラス枠ピンを外すことができる。また、第１回動支持部材の端部には操作部を上記ヒンジ本体から露出した状態で設けることが好ましい。これによれば、第１回動支持部材の操作部を持って第１回動支持部材を回動操作すれば、外枠ピンが第１軸受部から外れ、表枠を傾けて外枠ピンとの係合を外すことができる。
【００１２】
また、ここで、上記第１回動支持部材には、上記第２回動支持部材のばね弾性部が係合する係合凹部を設けるとともに、該係合凹部とは上記支軸に対し反対側の縁部に、該第２回動支持部材と係合する係合凸部を設けることが好ましい。
【００１３】
これによれば、簡単な構造により、第１回動支持部材には、第１軸受部に嵌入された外枠ピンを回動可能に保持させ、第２回動支持部材には、第２軸受部に嵌入されたガラス枠ピンを回動可能に保持させるように、第１回動支持部材と第２回動支持部材を動作させることができる。
【００１４】
また、上記ヒンジ本体は鋼板をプレス加工して形成され、上記表枠の上角部に取り付けるための直角取付面を有する直角取付部を、ヒンジ本体に設けるとともに、ヒンジ本体の正面側の先端部に、内部をカバーするカバー部を設けることができる。これによれば、カバー部が正面位置で、ヒンジ本体内の第１回動支持部材及び第２回動支持部材をカバーするため、第１回動支持部材または第２回動支持部材を不正に動かすなどの不正行為を防止することができる。
【発明の効果】
【００１５】
本発明の遊技機用上部ヒンジによれば、構造が簡単で、少ない部品点数で構成することができ、遊技機の外枠側の外枠ピンに対し表枠の上角部を簡単に着脱可能に軸支させることができるともに、表枠に対しガラス枠側のガラス枠ピンを簡単に着脱可能に軸支されることができる。
【図面の簡単な説明】
【００１６】
【図１】本発明の一実施形態を示す上部ヒンジの斜視図である。
【図２】上部ヒンジの右前方から見た斜視図である。
【図３】斜め下方から見た上部ヒンジの斜視図である。
【図４】上部ヒンジの正面図である。
【図５】上部ヒンジの左側面図である。
【図６】上部ヒンジの右側面図である。
【図７】上部ヒンジの平面図である。
【図８】上部ヒンジの底面図である。
【図９】上部ヒンジの背面図である。
【図１０】上部ヒンジの分解斜視図である。
【図１１】上部ヒンジの分解平面図である。
【図１２】第１回動支持部材と第２回動支持部材の組付け状態を示す右側面図である。
【図１３】使用状態を示す遊技機の分解斜視図である。
【発明を実施するための形態】
【００１７】
以下、本発明の実施の形態を図面に基づいて説明する。図１〜図３はパチンコ機などに使用される遊技機用上部ヒンジの斜視図を示し、その上部ヒンジ１は、遊技機の全体構成を示す図１３のように、遊技機の表枠５１の上角部に取り付けられるヒンジ器具である。
【００１８】
この上部ヒンジ１は、図１０に示すように、その外殻を形成し、上部に外枠ピン８ａを軸受けする第１軸受部２１に設け、下部にガラス枠ピン９ａを軸受けする第２軸受部２２を設けたヒンジ本体２と、ヒンジ本体２内に回動可能に軸支され、第１軸受部２１に嵌入された外枠ピン８ａを回動可能に保持する合成樹脂製の第１回動支持部材３と、ヒンジ本体２内に回動可能に軸支され、第２軸受部２２に嵌入されたガラス枠ピン９ａを回動可能に保持する合成樹脂製の第２回動支持部材４と、第１回動支持部材３と第２回動支持部材４を共通軸として支持する支軸５と、を備えて構成される。
【００１９】
上記外枠ピン８ａは、図１３に示す如く、遊技機の外枠５０の上角部に取り付けられる外枠側ヒンジ８に下向きに突設され、上記ガラス枠ピン９ａは遊技機のガラス枠５２の上角部に取り付けられるガラス枠側ヒンジ９に上向きに突設される。
【００２０】
上部ヒンジ１のヒンジ本体２は、図１０に示すように、鋼板をプレス加工により曲折して形成され、遊技機の表枠５１の上角部に取り付けるために、その背面側に直角取付部２３が設けられる。さらに、直角取付部２３から正面側に突出するように、水平突出部２５が設けられ、水平突出部２５には第１軸受部２１及び第２軸受部２２が設けられる。直角取付部２３は取付板を直角に曲折して形成され、一方の取付板に固定ねじ用の複数のねじ孔が設けられる。
【００２１】
水平突出部２５の内側には、第１回動支持部材３と第２回動支持部材４が、１本の縦方向の支軸５により回動可能に軸支される。ヒンジ本体２の水平突出部２５には、上平面板部２６が上面水平方向に延設され、上平面板部２６の左側面に側壁部２８が略直角に曲折して設けられる。側壁部２８から上平面板部２６にかけて、鈎型に曲折した溝状の第１軸受部２１が、その開口部から内側に導入される外枠ピン８ａを奥部の軸受部まで受入れ可能に形成される。第１軸受部２１は、曲折したガイド溝の終端部まで外枠ピン８ａを導入して、終端部に設けた半円形の軸受部で軸受けし、第１回動支持部材３の先端のピン支持部３４により、外枠ピン８ａを回動可能に軸受部で保持する構造となっている。
【００２２】
また、ヒンジ本体２の水平突出部２５の正面には、カバー部２４が、上平面板部２６の前端部を直角に曲折して先端部をカバーするように設けられる。さらに、側壁部２８から内側に曲折するように下平面板部２７が設けられ、この下平面板部２７には、鈎状に曲折した溝状の第２軸受部２２が、その内部にガラス枠ピン９ａを受入れ可能に形成される。第２軸受部２２は、曲折したガイド溝の終端部までガラス枠ピン９ａを導入して終端部に設けた半円形の軸受部で軸受けし、回動可能に軸支した第２回動支持部材４の先端のピン支持部４４により、その軸受部でガラス枠ピン９ａを回動可能に支持する構造となっている。
【００２３】
第１回動支持部材３及び第２回動支持部材４は、各々、合成樹脂材料により一体成形される。第１回動支持部材３は、上記のように、外枠ピン８ａが第１軸受部２１の曲折したガイド溝の終端部まで進入したとき、先端のピン支持部３４により、付勢力をもって外枠ピン８ａを回動可能に支持するように動作する。そのために、第２回動支持部材４に一体にばね弾性部４１が設けられ、このばね弾性部４１により、外枠ピン８ａを支持する方向つまり第１軸受部２１を閉じる側に付勢されるようになっている。
【００２４】
なお、図１１に示すように、第１回動支持部材３の元部（ピン支持部３４と反対側）には、外枠ピン８ａを外す際、第１回動支持部材３を回動操作するための操作部３５が設けられ、この操作部３５は、図７に示すように、ヒンジ本体２の切欠部から露出し、回動操作が可能である。
【００２５】
一方、第２回動支持部材４は、ガラス枠ピン９ａが第２軸受部２２の曲折したガイド溝の終端部まで進入したとき、先端のピン支持部４４により、付勢力をもってガラス枠ピン９ａを回動可能に支持するように動作する。そのために、第２回動支持部材４は、ばね弾性部４１を介して第１回動支持部材３からばね弾性の反力を受け、ガラス枠ピン９ａを支持する方向つまり第２軸受部２２を閉じる側に付勢される。
【００２６】
第１回動支持部材３と第２回動支持部材４は、図１０に示すように、１本の共通軸としての支軸５により、共に回動可能に軸支されるが、図１２に示すように、第２回動支持部材４は第１回動支持部材３の下側に抱き込むように挿入され、第２回動支持部材４の端部のばね弾性部４１が第１回動支持部材３の係合凹部３１内に入りその内側の当接面３１ａに、図３に示す如く当接する。
【００２７】
これにより、第１回動支持部材３は、図７、図１１の時計方向つまり第１軸受部２１を閉じる方向に付勢され、第２回動支持部材４は、ばね弾性部４１を介して第１回動支持部材３から反力を受けるように、図１１の反時計方向つまり第２軸受部２２を閉じる方向に付勢される。
【００２８】
また、図８〜図１２に示すように、第１回動支持部材３の下縁部には、係合凸部３２が突設され、第１回動支持部材３の下側に挿入される第２回動支持部材４の側部がこの係合凸部３２に当接した状態となる。これにより、第１回動支持部材３と第２回動支持部材４がヒンジ本体２の内側に挿入されて支軸５により回動可能に軸支された状態で、図７、図８に示す如く、第１回動支持部材３の先端のピン支持部３４は、第１軸受部２１を閉じて外枠ピン８ａを軸受可能とし、第２回動支持部材４の先端のピン支持部４４は、第２軸受部２２を閉じてガラス枠ピン９ａを軸受可能とするようになっている。
【００２９】
なお、図７、図８に示すように、第１回動支持部材３と第２回動支持部材４はヒンジ本体２の内側定位置に挿入されて支軸５により回動可能に軸支された状態で、第１回動支持部材３の操作部３５はヒンジ本体２の切欠端部に当接し、第２回動支持部材４の凸部４５はヒンジ本体２の切欠端部に当接して、図１〜図３に示す如く定位置に保持される構造である。
【００３０】
このように、上記構成の上部ヒンジ１は、ヒンジ本体２、第１回動支持部材３、第２回動支持部材４、及び支軸５のみから構成されるので、構造が非常に簡単となり、少ない部品点数で安価に遊技機用上部ヒンジを製造することができる。また、従来の回動支持部材のように別部材としてコイルばねなどのばね部材を取り付ける必要がなく、製造時にばね部材を組み付ける工数を削減し、運搬時などにばね部材が外れたりする不具合を解消するができる。
【００３１】
上記構成の上部ヒンジ１は、図１３に示すように、遊技機の表枠５１の上角部に、直角取付部２３を用いてその水平突出部２５を前方に突き出す形態で固定される。表枠５１が開閉可能に装着される外枠５０の上角部には、外枠側ヒンジ８が固定され、外枠側ヒンジ８には、外枠ピン８ａが下向きに突設される。なお、図１３に示すように、外枠５０の下角部には、下部ヒンジ５３が取り付けられ、下部ヒンジ５３上には、下部ヒンジピン５３ａが上向きに突設される。表枠５１の下角部には、下部ヒンジ５４が固定され、下部ヒンジ５４には下部ヒンジ軸受（軸孔）５４ａが設けられている。
【００３２】
遊技機の外枠５０の前面に、表枠５１を開閉可能に取り付ける場合、図１３のように、先ず、表枠５１の下部ヒンジ５４の下部ヒンジ軸受５４ａを、外枠５０の下部ヒンジ５３の下部ヒンジピン５３ａに、上から嵌入するように嵌め込み、次に、表枠５１を傾けて、その上角部の上部ヒンジ１の第１軸受部２１を、外枠５０の外枠側ヒンジ８の外枠ピン８ａに嵌め込むように動かす。このとき、外枠ピン８ａが上部ヒンジ１の水平突出部２５の側壁部２８に設けた開口から第１軸受部２１内に進入する。なお、図１３では表枠５１及びガラス枠５２が閉鎖（角度）状態で図示されているが、実際に表枠５１またはガラス枠５２を着脱する場合、表枠５１及びガラス枠５２を開放した状態で、着脱操作は行なわれる。
【００３３】
このとき、第１回動支持部材３の先端部が外枠ピン８ａに押されて、図７の反時計方向に回動し、第１回動支持部材３が第１軸受部２１のガイド溝から内側に外れ、外枠ピン８ａはガイド溝を通りその終端部の第１軸受部２１まで到達する。これに伴い、第１回動支持部材３がばね弾性部４１の付勢力により元の位置（図７の位置）に戻り、第１軸受部２１のガイド溝を閉じて、第１回動支持部材３のピン支持部３４が外枠ピン８ａを第１軸受部２１内で回動可能に支持する状態となり、外枠ピン８ａは第１軸受部２１内で回動可能に軸支される。
【００３４】
表枠５１の前面に、ガラス枠５２を開閉可能に取り付ける場合、図１３のように、先ず、ガラス枠５２の下部ヒンジ５５の下部ヒンジ軸受５５ａを、表枠５１の中間ヒンジ５６の中間ヒンジピン５６ａに、上から嵌入するように嵌め込み、次に、ガラス枠５２を傾けて、表枠５１の上角部の上部ヒンジ１の第２軸受部２２に、ガラス枠５２のガラス枠側ヒンジ９のガラス枠ピン９ａを嵌め込むように動かす。このとき、ガラス枠ピン９ａが上部ヒンジ１の下平面板部２７に設けた開口からガイド溝を通り第２軸受部２２内に進入する。
【００３５】
このとき、第２回動支持部材４の先端部がガラス枠ピン９ａに押されて、図８の反時計方向（ばね弾性部４１の付勢力に抗する方向）に回動し、第２回動支持部材４が第２軸受部２２のガイド溝から内側に外れ、ガラス枠ピン９ａはガイド溝を通りその終端部の第２軸受部２２まで到達する。これに伴い、第２回動支持部材４はばね弾性部４１の付勢力により元の位置（図８の位置）に戻り、第２軸受部２２のガイド溝を閉じて、第２回動支持部材４のピン支持部４４がガラス枠ピン９ａを第２軸受部２２内で回動可能に支持する状態となり、ガラス枠ピン９ａは第２軸受部２２内で回動可能に軸支される。
【００３６】
一方、表枠５１の上部ヒンジ１を外枠側ヒンジ８から外す場合、第１回動支持部材３の元部の操作部３５を持って図１の矢印Ａ方向（図７の反時計方向に）に、第１回動支持部材３を回動させる。これにより、第１回動支持部材３のピン支持部３４が第１軸受部２１のガイド溝から外れ、外枠ピン８ａは第１軸受部２１から離脱可能な状態となって、上部ヒンジ１が外枠側ヒンジ８から外される。
【００３７】
一方、ガラス枠５２のガラス枠側ヒンジ９を上部ヒンジ１から外す場合、操作レバー４２を持って図３（図８）の矢印Ｂ方向に、第２回動支持部材４を回動させる。このとき、第２回動支持部材４がばね弾性部４１の付勢力に抗して、図８の反時計方向に回動し、これにより、第２回動支持部材４のピン支持部４４が第２軸受部２２のガイド溝から外れ、ガラス枠ピン９ａは第２軸受部２２から離脱可能な状態となって、ガラス枠側ヒンジ９は表枠５１の上角部の上部ヒンジ１から外される。
【００３８】
このように、第２回動支持部材４に操作レバー４２が一体に設けられ、操作レバー４２をもって第２回動支持部材４を一方向に回動操作すれば、容易にガラス枠５２を傾けてガラス枠ピン９ａを外すことができる。また、第１回動支持部材３の操作部３５を持って第１回動支持部材３を他方向に回動操作すれば、外枠ピン８ａが第１軸受部２１から外れ、表枠５１の上角部の上部ヒンジ１を、外枠側ヒンジ８から外すことができる。
【符号の説明】
【００３９】
１      上部ヒンジ
２      ヒンジ本体
３      第１回動支持部材
４      第２回動支持部材
５      支軸
８      外枠側ヒンジ
８ａ    外枠ピン
９      ガラス枠側ヒンジ
９ａ    ガラス枠ピン
２１    第１軸受部
２２    第２軸受部
２３    直角取付部
２４    カバー部
２５    水平突出部
２６    上平面板部
２７    下平面板部
２８    側壁部
３１    係合凹部
３１ａ  当接面
３２    係合凸部
３４    ピン支持部
３５    操作部
４１    弾性部
４２    操作レバー
４４    ピン支持部
４５    凸部
５０    外枠
５１    表枠
５２    ガラス枠
５３    下部ヒンジ
５３ａ  下部ヒンジピン
５４    下部ヒンジ
５４ａ  下部ヒンジ軸受
５５    下部ヒンジ
５５ａ  下部ヒンジ軸受
５６    中間ヒンジ
５６ａ  中間ヒンジピン
【図１】
2015109926.tif 000003
【図２】
2015109926.tif 000004
【図３】
2015109926.tif 000005
【図４】
2015109926.tif 000006
【図５】
2015109926.tif 000007
【図６】
2015109926.tif 000008
【図７】
2015109926.tif 000009
【図８】
2015109926.tif 000010
【図９】
2015109926.tif 000011
【図１０】
2015109926.tif 000012
【図１１】
2015109926.tif 000013
【図１２】
2015109926.tif 000014
【図１３】
2015109926.tif 000015